(57)【要約】【課題】力学的エネルギーの伝達損失（ロス）を低減し、ひいては報知効果の高い火災報知装置を提供する。【解決手段】筐体１２と、筐体１２の内部に位置し軸回りに回転可能な回転体１６と、回転体１６を軸回りに回転駆動させる駆動源２２と、回転体１６の回転に伴う遠心力を受けて筐体１２と衝突して衝突音を発生させる打撃部２６と、回転体１６に設けられた係合部３２と、係合部３２と係合して回転体１６の回転を阻止するとともに所定の温度以上になれば係合部３２との係合を解除して回転体１６の回転を許容するフック部３４と、を有する火災報知装置１０である。【選択図】      図１
2015191251.tif 000002
【特許請求の範囲】
【請求項１】
筐体と、
前記筐体の内部に位置し、軸回りに回転可能な回転体と、
前記回転体を前記軸回りに回転駆動させる駆動源と、
前記回転体に設けられ、前記回転体の回転に伴う遠心力を受けて前記筐体と衝突して衝突音を発生させる打撃部と、
前記回転体に設けられた係合部と、
前記筐体に設けられ、前記係合部と係合して前記回転体の回転を阻止するとともに、所定の温度以上になれば前記係合部との係合を解除して前記回転体の回転を許容するフック部と、
を有することを特徴とする火災報知装置。
【請求項２】
前記駆動源は、ゼンマイばねであることを特徴とする請求項１に記載の火災報知装置。
【請求項３】
前記打撃部は、前記回転体に固定された板ばね部と、前記板ばね部の先端に取り付けられた質量部と、を有することを特徴とする請求項１又は２に記載の火災報知装置。
【請求項４】
前記筐体の前記回転体と対面する部位に、前記打撃部と衝突する複数の突起部を有することを特徴とする請求項１乃至３のいずれか１項に記載の火災報知装置。
【請求項５】
前記突起部は、前記回転体の移動方向に沿って連続して配置されていることを特徴とする請求項４に記載の火災報知装置。
【請求項６】
前記フック部は、所定の温度によって形状が変化又は融解する金属又は樹脂で構成されていることを特徴とする請求項１乃至５のいずれか１項に記載の火災報知装置。
【請求項７】
前記質量部と前記突起部は、防爆金属で構成されていることを特徴とする請求項４乃至６のいずれか１項に記載の火災報知装置。
【発明の詳細な説明】
【技術分野】
【０００１】
本発明は、熱を感知し、警報音を発生する火災報知装置に関し、特に電源を必要としない火災報知装置に関するものである。
【背景技術】
【０００２】
従来から、熱を感知し、警報音を発生する熱感知報知器、例えば熱感知式の火災報知器が広く知られている。
【０００３】
例えば、一例として、図５及び図６に示すように、ゼンマイ式のベル１０２と、ベル１０２のゼンマイ１０４により駆動する揺動杆１０６の一部に当接しその駆動を阻止するロック部材１０８と、ロック部材１０８を解除方向に付勢するコイルバネ１１０と、コイルバネ１１０の付勢力に抗して上記ロック部材１０８を揺動杆１０６への当接位置に引っ張り、周辺環境が所定以上の温度となった場合に伸びる或いは切れる紐１１２と、から構成された熱感知報知器１００が知られている（下記特許文献１参照）。
【０００４】
また、熱感知報知器１００の合成樹脂製或いは金属製のケース１１４の前面には、内部に収納された後記するゼンマイ式のベル１０２の音が洩れ出るように複数のスリット１１６が形成されている。取付用フレーム１１８の上部には、取付用のビス或いはネジを挿入し得る穴１２０が穿設されている。
【０００５】
ケース１１４の内部には、上記取付用フレーム１１８の裏面側に突出したハンドル１２２と、ハンドル１２２により巻かれるゼンマイ１０４と、ゼンマイ１０４の動力を伝達する種々の歯車１２４と、歯車１２４によって揺動する揺動杆１０６と、揺動杆１０６に連係した打撃体１２６と、打撃体１２６により打ち鳴らさせるベルわん１２８とから構成された、目覚まし時計等において使用されている既知の構造のゼンマイ式のベル１０２が収納されている。
【０００６】
上記ゼンマイ式のベル１０２は、ゼンマイ１０４により揺動する揺動杆１０６に当接し、その揺動を阻止するくの字形状のロック部材１０８によりロックされる。このロック部材１０８は、その中心付近を軸支されており、一端はロック部材１０８を解除方向に付勢する捩じりコイルバネ１１０に当接しており、他端はケース１１４の側壁に形成された切り欠き１３０を介してケース１１４の外部に突出し、上記したケース１１４の周囲に展張される紐１１２の一端が繋着され、紐１１２の張力により、上記した捩じりコイルバネ１１０の付勢力に抗してロック部材１０８を揺動杆１０６への当接位置に引っ張っている。
【０００７】
上記のように構成された熱感知報知器を使用するにあたっては、先ず、紐１１２が、ケース１１４の周囲に展張されており、ロック部材１０８によるゼンマイ式のベル１０２のロックが成されていることを確認する。その後、ハンドル１２２を回すことにより、ゼンマイ式のベル１０２のゼンマイ１０４を巻き、ロックが解除された場合には、ゼンマイ式のベル１０２が鳴る状態としておく。この状態で、熱感知報知器を、台所のガスこんろ付近、灰皿を置いた付近、或いは冬場においてストーブを設置した付近などの火災の火元となり易い位置に、上記取付用フレーム１１８を介して設置しておく。
【０００８】
上記のように設置した熱感知報知器の周辺環境が、火災などによって温度上昇し、紐１１２の融点以上、例えば１２０℃以上となると紐１１２は切れ、ロック部材１０８を捩じりコイルバネ１１０の付勢力に抗して揺動杆１０６への当接位置に引っ張っていた張力が無くなり、ロック部材１０８によるゼンマイ式のベル１０２のロックが解除される。ロックが解除されたゼンマイ式のベル１０２は、ゼンマイ１０４による動力が無くなるまで鳴り続け、住人に火災の発生を知らせる。
【先行技術文献】
【特許文献】
【０００９】
【特許文献１】実用新案登録第３０４０２５３号公報
【発明の概要】
【発明が解決しようとする課題】
【００１０】
ところで、上記従来技術は、ゼンマイの駆動力を複数の歯車を介して揺動杆に伝達しているため、伝達時における力学的エネルギーの損失（ロス）が生じ、エネルギーの伝達効率が悪くなる。これにより、報知効果が低下する問題がある。
【００１１】
また、揺動杆の１揺動（１振幅）につき１回だけ、打撃体がベルわんに衝突する構成を採用しているため、衝突効率が低くなり、ひいては報知効果が低下する問題がある。
【００１２】
そこで、本発明は、上記問題に鑑み、力学的エネルギーの伝達損失（ロス）を低減し、ひいては報知効果の高い火災報知装置を提供することを目的とする。
【課題を解決するための手段】
【００１３】
本発明は、筐体と、前記筐体の内部に位置し、軸回りに回転可能な回転体と、前記回転体を前記軸回りに回転駆動させる駆動源と、前記回転体に設けられ、前記回転体の回転に伴う遠心力を受けて前記筐体と衝突して衝突音を発生させる打撃部と、前記回転体に設けられた係合部と、前記筐体に設けられ前記係合部と係合して前記回転体の回転を阻止するとともに所定の温度以上になれば前記係合部との係合を解除して前記回転体の回転を許容するフック部と、を有する火災報知装置である。
【００１４】
この場合、前記駆動源は、ゼンマイばねであることが好ましい。
【００１５】
この場合、前記打撃部は、前記回転体に固定された板ばね部と、前記板ばね部の先端に取り付けられた質量部と、を有することが好ましい。
【００１６】
この場合、前記筐体の前記回転体と対面する部位に、前記打撃部と衝突する複数の突起部を有することが好ましい。
【００１７】
この場合、前記突起部は、前記回転体の移動方向に沿って連続して配置されていることが好ましい。
【００１８】
この場合、前記フック部は、所定の温度によって形状が変化又は融解する金属又は樹脂で構成されていることが好ましい。
【００１９】
この場合、前記質量部と前記突起部は、防爆金属で構成されていることが好ましい。
【発明の効果】
【００２０】
本発明によれば、所定の温度以上に達すると、フック部と係合部との係合が解除され、回転体が駆動源からの駆動力を受けて回転駆動する。このとき、打撃部には回転体の回転に伴う遠心力が作用して、打撃部が回転体の外側へ移動する。そして、打撃部が筐体と衝突して衝突音が発生する。これにより、駆動源の駆動力が回転体を回転駆動させるだけで、報知音が出力される。このように、駆動源のエネルギーの伝達損失を低減させつつ、報知効果が高くなる。
【００２１】
また、駆動源がゼンマイばねであることにより、ゼンマイばねの弾性エネルギーを利用することができる。これにより、駆動源の構成が簡易になる。
【００２２】
また、打撃部の質量部を有するため、打撃部が遠心力を受けると、質量部が回転体の外側へ大きく振れる。これにより、筐体に対する衝突音が大きくなり、報知効果が高くなる。また、打撃部が板ばね部を有しているため、回転体からの遠心力と質量部の重力との影響を受け、板ばね部が弾性変形する。これにより、質量部が揺動して、筐体と回転体との両者の間で衝突を繰り返す。この結果、衝突音の出力回数が多くなり、報知効果が高くなる。
【００２３】
また、筐体は複数の突起部を有しているため、打撃部が突起部に衝突することにより、衝突音が大きくなる。そして、大きな音の衝突音が連続して出力される。これにより、報知効果が高くなる。
【００２４】
また、突起部が回転体の移動方向に沿って連続して配置されているため、打撃部が突起部に連続して衝突し、連続音が発生する。これにより、報知効果が高くなる。
【００２５】
また、フック部が温度によって形状が変化又は融解する金属又は樹脂で構成されていることにより、温度変化を検知して、フック部の形状が変化したり、あるいはフック部の一部が溶ける。これにより、所定温度以上の温度になると、フック部と係合部との係合が解除され、回転体の回転が可能になる。このように、フック部に温度センサとしての機能を持たせることにより、温度センサを別途設けることなく、火災発生時に自動で回転体が回転し、火災報知機能を発揮する。
【００２６】
また、質量部と突起部が防爆金属で構成されていることにより、質量部と突起部との衝突を起因とする火花の発生を抑制できる。これにより、火災や劣化の原因を取り除くことができる。なお、防爆金属の一例として、例えば、真鍮、ベリリウム銅合金などが挙げられる。
【図面の簡単な説明】
【００２７】
【図１】本発明の一実施形態の火災報知装置の構成図である。
【図２】本発明の一実施形態の火災報知装置の係合部とフック部とが係合する直前の状態を示す図である。
【図３】本発明の一実施形態の火災報知装置の係合部とフック部とが係合した状態を示す図である。
【図４】本発明の一実施形態の火災報知装置の係合部とフック部との係合が解除され、回転体が回転駆動している状態を示す図である。
【図５】従来の熱感知報知器の側面図である。
【図６】図５のＡ−Ａ線に沿う部分の断面図である。
【発明を実施するための形態】
【００２８】
本発明の一実施形態に係る火災報知装置について、図面を参照して説明する。
【００２９】
図１に示すように、一実施形態に係る火災報知装置１０は、例えば、筐体１２と、筐体１２の内部に位置し軸回りに回転可能な回転体１６と、回転体１６を軸回りに回転駆動させる駆動源２２と、回転体１６に設けられ回転体１６の回転に伴う遠心力を受けて筐体１２と衝突して衝突音を発生させる打撃部２６と、回転体１６に設けられた係合部３２と、係合部３２と係合して回転体１６の回転を阻止するとともに所定の温度以上になれば係合部３２との係合を解除して回転体１６の回転を許容するフック部３４と、を有する。
【００３０】
筐体１２は、例えば、箱状又は筒状に形成されている。本実施形態では、筐体１２は、円筒状に形成されている。筐体１２は、アタッチメント（図示省略）が取り付け可能に構成されており、アタッチメントを介してネジ等の固着具によって構造物の天井等に固定することができる。
【００３１】
筐体１２は、金属、例えば防爆金属、防錆金属等により構成されている。防爆金属としては、例えば、真鍮、ベリリウム銅合金などが採用可能である。
【００３２】
筐体１２の内周面側には、複数の突起部１４が周方向に沿って連続して設けられている。突起部１４には、回転体１６の回転に伴い打撃部２６の質量部３０が衝突する。複数の突起部１４は、回転体１６の回転方向に沿って所定の間隔で連続して配置されている。突起部１４は、例えば、上記した防爆金属で構成されている。
【００３３】
回転体１６の中心には、固定軸１８が配置されている。固定軸１８は、構造物の天井（図示省略）等で固定される。回転体１６は、固定軸１８の軸回りに回転可能に構成されている。
【００３４】
回転体１６は、回転ドラム２０を有している。回転ドラム２０は、一例として円筒状に形成されている。回転ドラム２０は、駆動源２２からの駆動力を受けて固定軸１８の軸回りに回転する。
【００３５】
回転体１６は、例えば金属、さらには防爆金属で構成されていることが好ましい。回転体１６が防爆金属で構成されていることにより、質量部３０が衝突しても火花の発生を抑制できる。
【００３６】
駆動源２２は、回転ドラム２０を回転駆動させるものである。駆動源２２として、例えば、ばねが用いられ、具体的にはゼンマイばね２４が一例として採用される。
【００３７】
ここで、駆動源２２としてゼンマイばね２４を採用した場合には、ゼンマイばね２４の内側端部を固定軸１８に固定する。詳細には、固定軸１８には、例えばスリット３６が形成されており、スリット３６にゼンマイばね２４の内側端部を挿入あるいは圧入することにより固定できる。
【００３８】
また、ゼンマイばね２４の外側端部は、回転ドラム２０側に固定する。例えば、ゼンマイばね２４の外側端部は、回転ドラム２０の内周面の部位に接続される。
【００３９】
なお、回転ドラム２０は、筐体１２に設けられたガイド部（図示省略）により軸回りに回転可能に支持されていることが好ましい。これにより、回転ドラム２０が重力の影響を受けて筐体１２上に落下することを防止できる。
【００４０】
回転ドラム２０には、ハンドル３８が接続可能に構成されている。ハンドル３８を接続して軸回りに回転させることにより、回転ドラム２０が回転するとともにゼンマイばね２４が巻きしめられる。
【００４１】
なお、筐体１２には貫通穴（図示省略）が形成されており、ハンドル３８を挿入して回転ドラム２０に接続することが可能である。
【００４２】
打撃部２６は、回転ドラム２０の外周面に設けられる。打撃部２６は、例えば、板ばね部２８と、質量部３０と、を有している。板ばね部２８の一端は、回転ドラム２０の外周面に固定されている。質量部３０は、板ばね部２８の他端に設けられている。
【００４３】
質量部３０は、例えば、金属で構成されており、防爆金属が好ましい。なお、防爆金属としては、例えば、真鍮、ベリリウム銅合金などが採用可能である。
【００４４】
これにより、打撃部２６は、板ばね部２８と質量部３０とを一体としたバネ−質量系として捉えられる。板ばね部２８の弾性力は、質量部３０を所定の位置に位置決めする。そして、回転ドラム２０の回転により遠心力が作用すると、板ばね部２８の弾性力が質量部３０に作用して質量部３０の揺動を制御する。
【００４５】
係合部３２は、回転ドラム２０の外周面に設けられている。係合部３２は、筐体１２のフック部３４に係合可能に構成されている。
【００４６】
フック部３４は、例えば、筐体１２の内周面側に設けられている。フック部３４は、係合部３２と係合可能に構成されている。すなわち、フック部３４は、ゼンマイばね２４を巻きしめた後に係合部３２と係合してゼンマイばね２４の弾性力に対抗しつつも回転ドラム２０の回転を阻止するとともに、所定の温度以上になれば係合部３２との係合を解除して回転ドラム２０の回転を許容する。
【００４７】
フック部３４が所定の温度によって形状が変化（変形）又は融解する金属又は樹脂で構成されていることが好ましい。具体的には、常温時にはフック部３４が係合部３２との係合を維持可能なように構成されており、火災時など所定の温度以上になった場合には、フック部３４の形状が変化（変形）したり、あるいは少なくとも一部が溶けることにより、フック部３４と係合部３２との係合が解除するように構成されている。
【００４８】
フック部３４は、例えば、バイメタルで構成されている。
【００４９】
また、フック部３４は、例えば、形状記憶合金で構成されていてもよい。
【００５０】
さらに、フック部３４は、例えば、低温度で融解可能な樹脂で構成されていてもよい。
【００５１】
なお、例えば、フック部３４をバイメタル以外の材質で構成し、係合部３２を低温度で融解可能なプラスチックあるいは金属（低融点合金）で構成したり、あるいは貼り付けてもよい。
【００５２】
次に、本発明の一実施形態に係る火災報知装置１０の作用について説明する。
【００５３】
（火災報知装置のセッティング）
図２に示すように、火災報知装置１０をセッティングするときには、ハンドル３８を時計の回転方向に回転させることにより、回転ドラム２０が固定軸１８の軸周りに回転するとともにゼンマイばね２４が巻きしめられる。そして、ハンドル３８を最大限回転させることにより、ゼンマイばね２４には最大の弾性エネルギーが蓄積される。この状態で、回転ドラム２０の外周面に設けられた係合部３２とフック部３４とを係合する。これにより、回転ドラム２０は、ゼンマイばね２４からの最大の弾性エネルギーを受けていてもこれに対抗して回転することがなく、停止状態が維持される。これにて、火災報知装置１０のセッティングが完了する。
【００５４】
（常温時の状況）
図３に示すように、常温時では、フック部３４と係合部３２との係合状態が維持され、回転ドラム２０の回転が阻止された状態になっている。火災などの災害が発生しなければ、フック部３４と係合部３２との係合状態が維持されて回転ドラム２０が回転しない。この結果、打撃部２６と筐体１２の突起部１４との衝突もなく、衝突音を発生しない状態になる。
【００５５】
（火災時などの災害発生時の状況）
図４に示すように、火災時などの災害発生時において、火災報知装置１０の温度あるいは周囲の温度が所定の温度以上になると、その熱エネルギーが筐体１２に伝わり、フック部３４が加熱される。これにより、バイメタルで構成されているフック部３４が変形し、係合部３２との係合が解除される。この結果、回転ドラム２０の回転を停止させるものがなくなり、回転ドラム２０がゼンマイばね２４からの弾性エネルギーを受けて反時計方向に回転する。
【００５６】
ここで、回転ドラム２０が回転することにより、打撃部２６には遠心力が作用する。打撃部２６に遠心力が作用すると、板ばね部２８の先端部に取り付けられている質量部３０が径方向外側へ移動する。これにより、質量部３０が筐体１２の突起部１４に衝突する。このとき、回転ドラム２０の回転に伴い、質量部３０が複数の突起部１４に連続して衝突していく。この結果、質量部３０と突起部１４との衝突が生じる度に衝突音が発生する。
【００５７】
さらにまた、打撃部２６の質量部３０が突起部１４に衝突すると、衝突音が発生するとともに、質量部３０は突起部１４から反作用力を受けて、回転ドラム２０側へ移動する。そして、質量部３０が回転ドラム２０の外周面に衝突して衝突音が発生する。その後、質量部３０は回転ドラム２０側から反作用力を受けて、筐体１２側へ移動する。そして、質量部３０が突起部１４に衝突して、衝突音が発生する。続いて、質量部３０は、回転ドラム２０側へ移動して回転ドラム２０と衝突し、衝突音が発生する。
【００５８】
このようにして、回転ドラム２０の回転が続く間、質量部３０は、筐体１２側と回転ドラム２０側への衝突を繰り返す。この結果、連続して衝突音が発生し、周囲に火災などの災害が生じたことを報知する。
【００５９】
ここで、打撃部２６は、質量−ばね系の力学状態として捉えることができる。板ばね２４の弾性力が質量部３０に作用して、質量部３０の揺れが円滑かつ効率良く制御可能になる。これにより、質量部３０が最適なタイミングで周囲に衝突することが可能になり、火災の報知効果が高くなる。
【００６０】
なお、回転ドラム２０は、ゼンマイばね２４からの弾性力を受けて回転駆動するが、やがて弾性エネルギーが消失して停止する。このとき、質量部３０の周囲への衝突に伴う衝突音が消える。
【００６１】
以上のように、本実施形態の火災報知装置１０によれば、所定の温度以上に達すると、フック部３４と係合部３２との係合が解除され、回転ドラム２０がゼンマイばね２４からの駆動力を受けて回転駆動する。このとき、打撃部２６には回転ドラム２０の回転に伴う遠心力が作用して、質量部３０が筐体１２側へ移動する。そして、質量部３０が筐体１２の突起部１４と衝突して衝突音が発生する。これにより、ゼンマイばね２４の駆動力が回転ドラム２０を回転駆動させるだけで、報知音が発生する。この結果、ゼンマイばね２４のエネルギーの伝達損失を低減しつつ、報知効果を高めることができる。
【００６２】
特に、駆動源２２としてゼンマイばね２４を採用することにより、ゼンマイばね２４の弾性エネルギーを利用することができる。これにより、駆動源２２の構成が簡易になる。
【００６３】
また、打撃部２６が板ばね部２８を有しているため、回転ドラム２０からの遠心力と質量部３０の質量との影響を受け、板ばね部２８が弾性変形する。これにより、質量部３０が正常に揺動して、筐体１２側と回転ドラム２０側との衝突を繰り返す。この結果、衝突音の出力回数が多くなり、報知効果が高くなる。
【００６４】
また、筐体１２には複数の突起部１４が設けられているため、質量部３０が突起部１４に衝突することにより、衝突音が大きくなる。これにより、大きな音の衝突音が連続して出力される。この結果、報知効果が高くなる。
【００６５】
また、突起部２４が回転ドラム２０の移動方向に沿って連続して配置されているため、質量部３０が突起部１４に連続して衝突し、連続音が発生する。これにより、報知効果が高くなる。
【００６６】
また、フック部３４がバイメタルで構成されていることにより、温度変化を検知して、フック部３４が変形する。これにより、所定温度以上の温度になると、フック部３４を変形して係合部３２との係合が解除でき、回転ドラム２０の回転が可能になる。このように、フック部３４に温度センサとしての機能を持たせることにより、火災発生時に自動で回転ドラム２０が回転し、アラーム機能を発揮する。
【００６７】
さらに、質量部３０と突起部１４が防爆金属で構成されていることにより、質量部３０と突起部１４との衝突に伴う火花の発生を抑制できる。これにより、火災や劣化の原因を取り除くことができる。
【００６８】
なお、上記した実施例はわずか一例に過ぎず、本発明は当然ながら当該実施例の内容に限定されるものではなく、設計変更程度のものは本発明の技術的思想に含まれるものである。
【符号の説明】
【００６９】
１０    火災報知装置
１２    筐体
１４    突起部
１６    回転体
１８    固定軸
２０    回転ドラム
２２    駆動源
２４    ゼンマイばね
２６    打撃部
２８    板ばね部
３０    質量部
３２    係合部
３４    フック部
３６    スリット
３８    ハンドル
【図１】
2015191251.tif 000003
【図２】
2015191251.tif 000004
【図３】
2015191251.tif 000005
【図４】
2015191251.tif 000006
【図５】
2015191251.tif 000007
【図６】
2015191251.tif 000008
【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
筐体と、
前記筐体の内部に位置し、軸回りに回転可能な回転体と、
前記回転体を前記軸回りに回転駆動させる駆動源と、
前記回転体に設けられ、前記回転体の回転に伴う遠心力を受けて前記筐体と衝突して衝突音を発生させる打撃部と、
前記回転体に設けられた係合部と、
前記筐体に設けられ、前記係合部と係合して前記回転体の回転を阻止するとともに、所定の温度以上になれば前記係合部との係合を解除して前記回転体の回転を許容するフック部と、
を有する火災報知装置であって、
前記打撃部は、前記回転体に固定された板ばね部と、前記板ばね部の先端に取り付けられた質量部と、を有し、
前記回転体が回転駆動したときに、前記質量部が遠心力を受けて前記筐体側へ移動して衝突し、かつ前記筐体側に衝突した後に前記筐体側からの反作用力を受けて前記回転体側に移動して衝突することを特徴とする火災報知装置。
【請求項２】
前記駆動源は、ゼンマイばねであることを特徴とする請求項１に記載の火災報知装置。
【請求項３】
前記筐体の前記回転体と対面する部位に、前記打撃部と衝突する複数の突起部を有することを特徴とする請求項１又は２に記載の火災報知装置。
【請求項４】
前記突起部は、前記回転体の移動方向に沿って連続して配置されていることを特徴とする請求項３に記載の火災報知装置。
【請求項５】
前記フック部は、所定の温度によって形状が変化又は融解する金属又は樹脂で構成されていることを特徴とする請求項１乃至４のいずれか１項に記載の火災報知装置。
【請求項６】
前記質量部と前記突起部は、防爆金属で構成されていることを特徴とする請求項３乃至５のいずれか１項に記載の火災報知装置。
【手続補正２】
【補正対象書類名】明細書
【補正対象項目名】００１３
【補正方法】変更
【補正の内容】
【００１３】
本発明は、筐体と、前記筐体の内部に位置し、軸回りに回転可能な回転体と、
前記回転体を前記軸回りに回転駆動させる駆動源と、前記回転体に設けられ、前記回転体の回転に伴う遠心力を受けて前記筐体と衝突して衝突音を発生させる打撃部と、前記回転体に設けられた係合部と、前記筐体に設けられ、前記係合部と係合して前記回転体の回転を阻止するとともに、所定の温度以上になれば前記係合部との係合を解除して前記回転体の回転を許容するフック部と、を有する火災報知装置であって、前記打撃部は、前記回転体に固定された板ばね部と、前記板ばね部の先端に取り付けられた質量部と、を有し、前記回転体が回転駆動したときに、前記質量部が遠心力を受けて前記筐体側へ移動して衝突し、かつ前記筐体側に衝突した後に前記筐体側からの反作用力を受けて前記回転体側に移動して衝突することを特徴とする。
【手続補正３】
【補正対象書類名】明細書
【補正対象項目名】００１５
【補正方法】削除
【補正の内容】